(57)【特許請求の範囲】
【請求項１】
緩衝媒体を充填された圧力管を有しており、この圧力管内で、軸方向に運動可能なピストンロッドのピストンが作業室をピストンロッド側とピストンロッドとは反対の側とに区分しており、ここで、両作業室間に跨って緩衝媒体流が存在しており、この緩衝媒体流が主流と副流とに分割されるものであり、更に、緩衝弁部材を有し、この緩衝弁部材が各作業室毎に対応する主段弁体によって形成される主流及び副流毎の主段弁とこの主段弁を制御する前段弁とからなり、更に、調整可能なアクチュエータを有し、このアクチュエータが主に副流のための制御室と作業室との間の流れの連絡に作用し、さらに主段弁が主流によって、かつ前段弁が副流によって各流れ方向で貫流されるようになっている形式の、調整可能な緩衝力を有する振動ダンパにおいて、
前記前段弁内で副流が貫流する逆止弁（３１ａ／ｂ）を有し、さらに前記前段弁が、アクチュエータにより交番式に制御可能な２つの制御横断面（３９ａ／ｂ）を有しており、かつ副流が、その流れ向きに関連して制御横断面と流れ方向に開く逆止弁とを通過するようになっていることを特徴とする、調整可能な緩衝力を有する振動ダンパ。
【請求項２】
前記前段弁の制御横断面（３９ａ／ｂ）が、円錐面（５３ａ／ｂ）とそれに対向する座面（５５ａ／ｂ）との組み合わせによって形成されており、かつ制御横断面（３９ａ／ｂ）に、別形状の貫流横断面（５９）が接続されていることを特徴とする請求項１記載の振動ダンパ。
【請求項３】
前記貫流横断面がアクチュエータ行程距離に対応して緩衝力調整可能であることを特徴とする請求項２記載の振動ダンパ。
【請求項４】
両方の制御横断面の間に、逆止弁への流入接続口が形成され、夫々に対する流れ向きによって作用する２つの部分長さの貫流横断面が生じるようになることを特徴とする請求項３記載の振動ダンパ。
【請求項５】
貫流横断面の両方の部分長さが、互いに異なって形成されていることを特徴とする請求項４記載の振動ダンパ。
【請求項６】
両方の貫流横断面が、それぞれの部分長さ内でアクチュエータ行程距離に対応して緩衝力調整可能であることを特徴とする請求項３または５記載の振動ダンパ。
【請求項７】
アクチュエータの作用部が制御横断面（３９ａ／ｂ）間の中央に位置する場合、両方の制御横断面が作用しておらず、貫流横断面（５９）が寸法に応じた緩衝力調整を発揮するようになることを特徴とする請求項１または２記載の振動ダンパ。
【請求項８】
緩衝弁装置が、非通電位置で伸び方向に硬くかつ縮み方向で軟らかく調整されていることを特徴とする請求項１記載の振動ダンパ。
【請求項９】
副流が逆止弁（３１ａ／ｂ）を貫流した後に制御室（１９ａ／ｂ）内に続く構成であることを特徴とする請求項１記載の振動ダンパ。
【発明の詳細な説明】
【０００１】
【発明の属する技術分野】
本発明は、緩衝媒体を充填された圧力管を有しており、この圧力管内で、軸方向に運動可能なピストンロッドのピストンが作業室をピストンロッド側とピストンロッドとは反対の側とに区分しており、ここで、両作業室間に跨って緩衝媒体流が存在しており、この緩衝媒体流が主流と副流とに分割されるものであり、更に、緩衝弁部材を有し、この緩衝弁部材が各作業室毎に対応する主段弁体によって形成される主流及び副流毎の主段弁とこの主段弁を制御する前段弁とからなり、更に、調整可能なアクチュエータを有し、このアクチュエータが主に副流のための制御室と作業室との間の流れの連絡に作用し、さらに主段弁が主流によって、かつ前段弁が副流によって各流れ方向で貫流されるようになっている形式（ドイツ連邦共和国特許第４４０６９１８．９号明細書）の、調整可能な緩衝力を有する振動ダンパに関する。
【０００２】
【従来の技術】
本発明の先行技術に開示された振動ダンパは、スカイフック原理により緩衝力調整を行う緩衝弁装置を有している。この場合、緩衝力を交番式に増大又は減少する緩衝力調整が実施される。緩衝力が一方の貫流方向のために高められるのと同じ大きさで、緩衝力は他方の貫流方向のために減少又は維持される。この場合、副流の絞りを規定する複数の制御縁（緩衝弁装置に相当）が使用される。これらの絞り縁は、緩衝力の誤りのない調整を生じるために、製造誤差に関して比較的正確に合わされていなければならない。
【０００３】
【発明が解決しようとする課題】
本発明の課題は、ドイツ連邦共和国特許第４４０６９１８．６号明細書に記載された振動ダンパを、簡単な構成、及び漏れ損失とは無関係な運転特性を有し、並びに製造誤差に無関係な緩衝力特性を有しているようなスペース節減された緩衝弁装置が存在するように著しく改良することにある。
【０００４】
【課題を解決するための手段】
前述の課題は、本発明によれば請求項１の特徴部分に記載された特徴によって解決される。
【０００５】
制御横断面の数がドイツ連邦共和国特許第４４０６９１８．６号明細書に比べて抑制されており、従って、同じ製造品質において振動ダンパ、特に緩衝弁装置の製造誤差による影響が必然的に減少される。
【０００６】
さらに有利な構成では、前段弁の制御横断面が、円錐面との組み合わせの座面によって形成されており、かつこの制御横断面には更なる貫流横断面が接続されている。一方の制御横断面がその一方向の貫流に作用すると直ぐに、その対向方向貫流に対するもう一方の制御横断面は、貫流横断面によってブリッジ又は迂回される。貫流横断面は、制御横断面を通過しない一方の貫流方向における緩衝媒体に対する緩衝弁装置の緩衝力調整を決定する。それにも拘らず、緩衝弁装置を調整できるようにするのに、貫流横断面がアクチュエータ行程距離によって調整されることが可能である。
【０００７】
緩衝弁装置は、有利には、両方の制御横断面の間に流れ接続が形成され、貫流横断面の向きに関連してそれぞれ作用する２つの部分長さが生じるように構成されている。緩衝力特性は、常に最小の横断面によって一義的に決まる。制御横断面が、一方の貫流方向のために作用し、かつ他方の貫流方向のために作用しないために、緩衝媒体は流れ接続を介して制御横断面を迂回することができる。
【０００８】
この場合、貫流横断面の両方の部分長さは互いに異なって構成されている。これにより、緩衝弁装置は貫流横断面による流れ方向作用を使用することができる。例えば、制御横断面が縮み方向での作用領域にあると、有効である貫流横断面を硬い緩衝特性となるよう設定することができる。逆向きの貫流方向では、貫流横断面を快適を強調して軟らかい緩衝特性に設定することができる。例えば、貫流横断面のもう一方との接続が徐々に変化する構成であるので、流れ方向関連性が貫流横断面により達成される。
【０００９】
別の有利な特徴に相応して、両方の貫流横断面は、それぞれの部分長さ内でアクチュエータ行程距離の作用として調整可能である。アクチュエータがその行程の中央に位置する場合に両方の制御横断面が接触されていないと、貫流方向作用として、貫流横断面は寸法に応じて所望の緩衝力調整を備えることができる。この時、特定の車両対して平均の、又は硬い緩衝力特性が調整されることができる。一方では、アクチュエータが中央に位置する場合で両方の制御横断面が接触されていないとき、貫流横断面は軟らかい緩衝力特性を備えることもできる。緩衝弁装置のこのような調整において制御縁は全く接触せず、その結果、緩衝力変動を生じることもない。
【００１０】
有利には、緩衝弁装置が、通電しない位置で伸び方向に硬くかつ縮み方向で軟らかく調整されている。縮み方向での快適な調整にも拘らず、伸び方向での硬い調整に関して車輪運動を採算の取れるレベルに維持する良好なバランス調整が行われる。弁装置の特に簡単な構成に関して、副流は逆止弁を貫流した後に制御室内に続くようになっている。これによって、流れ距離は短くなり、かつ構造的に簡単になる。
【００１１】
【発明の実施の形態】
図面を用いて本発明を詳しく説明する。
図１には、中空のピストンロッド３における緩衝弁装置１が示されている。緩衝弁装置１は、とりわけ、緩衝弁ケーシング５と、端部側におけるそれぞれ１つの緩衝弁ヘッド部材７と、両緩衝弁ヘッド部材の間の緩衝弁中間部材９とを有している。緩衝弁中間部材９及び緩衝弁ヘッド部材７は、流入開口１５ａ／ｂへの流入部１３としての半径方向の接続部を有する接続通路１１を有している。接続通路に関して半径方向でさらに内方では、ピストンロッド３のピン区分１７が緩衝弁中間部材９と一緒に２つの制御室１９ａ／ｂを形成しており、これらの制御室は軸方向でそれぞれ１つの主段弁体２１ａ／ｂによって制限されている。制御室１９ａ／ｂに対して同軸的に、前段弁２３が配置されており、この前段弁は半径方向の流れ接続部２５ａ／ｂを介して制御室１９ａ／ｂと接続されている。緩衝弁装置１全体は、ナット２７を介してピストンロッド３と緊定されている。
【００１２】
緩衝弁装置１は一列の逆止弁を有しており、これらの逆止弁は緩衝弁装置１の内部の流れ状態を制御する。さらに、接続通路１１の出口開口は逆止弁２９ａ／ｂを備えている。それぞれの主段弁体２１ａ／ｂは、向きによって関係する弁３７ａ／ｂを備えており、この弁は制御室１９ａ／ｂへの流入及びそれからの流出を制御する。
【００１３】
前段弁２３の内部に、磁気コイル４９を介して軸方向に移動可能な可動子５１が配置されている。可動子５１は制御横断面３９ａ／ｂを有しており、この制御横断面は、半径方向の流れ接続部２５ａ／ｂによって両制御室１９ａ／ｂの間の接続を制御する。つまり、磁気コイル４９から延びる可動子５１は、制御横断面３９ａ／ｂ間で接続又は非接続を選択的に切り替えることができる。そして、図１に示している状態は、制御横断面３９ａが閉じられ（座面５５ａと円錐面５３ａとが接触）、同時に制御横断面３９ｂが開いている（座面５５bと円錐面５３bとが非接触）状態である。
【００１４】
緩衝弁装置１が方向Ａで運動する際に、緩衝媒体は押しのけられなければならず、この場合、緩衝媒体は流入開口１５ａ内に流入される。流入開口１５ａの内部で、媒体は主流と副流とに分割される。副流は、主段弁体２１ａ及び弁３７ａを通って制御室１９ａ内に流れる。制御横断面３９ａの作用として、制御室１９ａ内に、主段弁体２１ａに閉鎖力を及ぼす圧力が形成され、この閉鎖力は閉鎖ばね４５ａの力によって重畳される。流入開口１５ａの範囲の開放力が制御室１９ａ内の閉鎖力より大きくなると、主段弁体２１ａは弁座４７ａから持ち上げられ、これによって流入部１３は接続通路１１に向かって開放される。
【００１５】
制御室１９ａの流出は、調整可能な前段弁及び逆止弁３１ａを介して行われ、この逆止弁は、流れ接続部２５ｂを介して制御室１９ｂと接続されており、この制御室から副流が向きによって関係する弁３７ｂを介して流出する。前述の行程運動中に、制御室１９ａが迂回されないために、逆止弁２９ａは接続通路１１を閉鎖する。
【００１６】
方向Ｂで行程運動する際に、逆止弁２９ｂは閉鎖する。緩衝媒体は弁３７ｂを通過して、主段弁体２１ｂのための閉鎖力を形成する。制御室１９ｂを介して副流の流出が行われる。主流は、主段弁体２１ａと同様にピン区分１７に心定めされる主段弁体２１ｂの持ち上げにより接続通路１１内に流出する。
【００１７】
緩衝弁装置１の緩衝力は、制御横断面３９ａ／ｂの大きさによって規定されており、この場合、両方の流れ方向のために原則的に、緩衝力変化にはそれぞれの制御室１９の流量が影響する。
【００１８】
緩衝弁装置の反対向きの調整のために、可動子５１を介して連結される円錐面５３ａ／ｂが座面５５ａ／ｂと関連して制御横断面３９ａ／ｂとして選択的に使用される。この場合、副流はそれぞれ制御横断面３９ａ／ｂをブリッジする逆止弁３１ａ／ｂを通過する。それぞれ１つの逆止弁３１ａ／ｂは、制御横断面３９ａ／ｂを有する副流の流れ経路内に位置する。可動子５１が、両円錐面５３ａ／ｂの間に座面５５ａ／ｂと一緒に円形リング状の貫流横断面５９を規定する縦区分５７を有している。両方の円錐面５３ａ／ｂのうち一方が所属の座面５５ａ／ｂと一緒に制御横断面３９ａ／ｂを形成すると、他方の円錐面は相対する座面から、この個所で絞り作用が生じないだけ間隔を置かれている。横断面は、縦区分５７及び座面５５の直径によって規定される。この場合、貫流横断面５９は両方の逆止弁３１ａ／ｂにおいて流れ接続部を有している。両方の逆止弁３１ａ／ｂは、貫流横断面５９及び接続部を介して両方の制御横断面を並行接続している。
【００１９】
両方の貫流方向のために軟らかい緩衝力調整が実現されるために、可動子が中央にある場合に両方の制御横断面３９は作用していない。アクチュエータの円錐面５３ａ／ｂの間の絞りなしの貫流横断面５９のみが作用する。
【００２０】
緩衝力の貫流方向へのさらなる適合のために、その特別な配置によって主段弁体２１ａ，２１ｂの対するばね力に基本的には関連しない２つの閉鎖ばね４５ａ，４５ｂが使用される。緩衝弁中間部材９に対して定置に配置されているばねガイドスリーブ４５ｃは、両方のばねのための支持機構として使用され、従って、ばね力は相互に影響を及ぼさない。この実施例では、閉鎖ばね４５ａの基本ばね力は閉鎖ばね４５ｂの基本ばね力より数倍だけ、本発明によればほぼ係数４だけ高く、その結果、閉鎖ばね４５ａは、緩衝弁ケーシング５の段部４５ｄにおけるばねガイドスリーブ４５ｃの位置を限定する。別の実施例において、ばねガイドスリーブ４５ｃは、緩衝弁ヘッド部材７と緩衝弁中間部材９との間に締め込まれることもできる。閉鎖ばね４５は支持体７１ａ／ｂを介して主段弁体２１ａ／ｂに作用する。
【００２１】
緩衝弁装置全体の圧力制限のために、ばねガイドスリーブ４５ｃにおける少なくとも１つの移行開口６１ｃを開放もしくは閉鎖する逆止弁６１が使用される。逆止弁は、基本ばね力を与えられた閉鎖体６１ａとして構成されている。制御室１９ａ内に過圧が生じる場合に、制御室１９ｂ内のカバー円板６１ｂを持ち上げることができ、かつ制御室１９ｂを経て圧力減少を可能にする。逆の場合には、閉鎖体６１ａがばねガイドスリーブ４５ｃから持ち上がり、ピストンロッドピン区分１７とばねガイドスリーブ４５ｃとの間の環状横断面６１ｄを解放する。
【００２２】
図２には、貫流横断面５９の作用形式を説明するために前段弁２３の領域が拡大して示されている。原則的に、前段弁２３における最小の流出横断面（制御横断面３９又は貫流横断面５９）は、それぞれの制御室（ 図１における符号１９ａ／ｂ）内の圧力減少を経て緩衝弁装置の緩衝力調整を規定する。図１で既に示されるように、常に一方の制御横断面３９ａ／ｂのみが作用する。他方の貫流方向にとって貫流横断面５９が決定的である。すなわち、貫流横断面の一方の方向のために、かつ制御横断面の他方の方向のために、緩衝力調整を横断面３９ａ／ｂの具体的な表示で規定している。
【００２３】
付加的に図２から明らかなように、貫流横断面５９は個々の貫流横断面５９ａ／ｂにおいて２つの縦区分５７ａ／ｂに分割されており、これらの縦区分は段部によって互いに区分されている。この場合、貫流横断面５９ａ／ｂはその縦区分５７ａ／ｂの内部で一定である。その結果、制御横断面の調整は貫流横断面の変化を伴わず、もしくは緩衝力調整が一方の作業方向のためには変化され、かつ他方の作業方向のためには一定のままである。
【００２４】
しかし、一点鎖線から明らかなように、例えば図示のように可動子５１の輪郭が軽く円錐状に形成されているので、貫流横断面５９ａ／ｂは行程に関連して構成されることもできる。このような変化実施例では、両方の方向で可動子行程にわたって緩衝力調整が変化される。両方の貫流横断面５９ａ／ｂは、流れ接続部６３によって液圧式に互いに区分されており、その結果、縦区分５７ａは伸び方向に所属しており、かつ縦区分５７ｂは縮み方向に所属している。
【図面の簡単な説明】
【 図１】緩衝弁装置の全体図である。
【 図２】前段弁の断面図である。
【符号の説明】
１ 緩衝弁装置
３ ピストンロッド
５ 緩衝弁ケーシング
７ 緩衝弁ヘッド部材
９ 緩衝弁中間部材
１１ 接続通路
１３ 流入部
１５ａ／ｂ 流入開口
１７ ピン区分
１９ａ／ｂ 制御室
２１ａ／ｂ 主段弁体
２３ 前段弁
２５ａ／ｂ 流れ接続部
２７ ナット
２９ａ／ｂ 逆止弁
３１ａ／ｂ 逆止弁
３７ａ／ｂ 弁
３９ａ／ｂ 制御横断面
４５ａ，ｂ 閉鎖ばね
４５ｃ ばねガイドスリーブ
４５ｄ 段部
４７ａ 弁座
４９ 磁気コイル
５１ 可動子
５３ａ／ｂ 円錐面
５５ａ／ｂ 座面
５７，５７ａ，５７ｂ 縦区分
５９，５９ａ／ｂ 貫流横断面
６１ 逆止弁
６１ａ 閉鎖体
６１ｂ カバー円板
６１ｃ 移行開口
６１ｄ 環状横断面
６３ 流れ接続部
７１ａ／ｂ 支持体
【図１】
0003949185.tif 000002
【図２】
0003949185.tif 000003